(57)【特許請求の範囲】
【請求項１】
スペクトル拡散無線ネットワークの２つのノード間において、フレーム構造を有する無線信号を伝送するための装置であって、該フレーム構造は、誤り制御情報を伝送する１または複数の前方向誤り制御（ＦＥＣ）ブロックを有しており、それぞれの該ＦＥＣブロックは、複数の自動再送要求（ＡＲＱ）ブロックに細分されており、かつ個々に符号化され、それぞれの該ＡＲＱブロックは、複数の情報ビットおよび複数のオーバーヘッド・ビットを有し、前記ＦＥＣブロックおよび前記ＡＲＱブロックの数と、該ＡＲＱブロックにおける情報ビットの数が、異なる転送レートに対応するように、ＦＥＣについて畳み込み符号およびターボ符号のいずれが使用されるかに応じて変更可能である、装置。
【請求項２】
パーソナル通信サービスの無線ネットワークにおいて通信するための処理システムであって、
移動局から情報ビットを受信するインターフェースと、
前記情報ビットを、第２のネットワークに配信するインターフェースと、
誤り制御情報を送信するため、前記情報ビットを、１または複数の前方向誤り制御（ＦＥＣ）ブロックを有するフレーム構造に配置する手段と、を備え、
それぞれの該ＦＥＣブロックは、複数の自動再送要求（ＡＲＱ）ブロックに細分されており、かつ個々に符号化され、それぞれの該ＡＲＱブロックは、情報ビットおよびオーバーヘッド・ビットを有し、前記配置する手段は、前記ＦＥＣブロックの数、前記ＡＲＱブロックの数、該ＡＲＱブロックにおける情報ビットの数をＦＥＣについて畳み込み符号およびターボ符号のいずれが使用されるかに応じて変更して、異なる転送レートに対処する、
処理システム。
【発明の詳細な説明】
【０００１】
発明の分野
この発明は、一般に、無線通信ネットワークのための管理手法に関し、より具体的には、無線セルラーまたはパーソナル通信サービスネットワークにおけるフレーム・フォーマットを構成するためのシステムおよび方法に関する。
【０００２】
背景技術
ＧＳＭ（global systems mobile）、ＴＤＭＡ（時分割多重接続）、ＡＭＰＳ（advanced mobile phone service）、およびＣＤＭＡ（符号分割多重接続）というような一般的な周波数技術をも含め、周波数分割多重化ネットワーク技術には多くの種類がある。同様に、これらのモバイル・ネットワーク技術で実現されているパケットデータ技術にも多くの種類がある。たとえば、ＧＰＲＳ（global packet radio services）およびＥＤＧＥ（enhanced data rate for GSM evolution）技術は、ＧＳＭおよびＴＤＭＡネットワークのようなパーソナル通信サービス（ＰＣＳ：personal communications services）のパケットデータ技術をそれぞれ実現すために開発されつつある。
【０００３】
これらの技術は、ＩＥＴＦ（Internet Engineering Task Force；インターネットに関する技術の標準化を促す団体）、ＩＭＴ−２０００（International Mobile Telecommunications 2000）のＩＴＵ（International Telecommunications Union；国際電気通信連合）、およびＴＬＡ（Telecommunications Industry Association；米国電気通信工業会）標準のような、様々な標準によって検討されている。これらの標準は、とりわけ、物理媒体（エア(air)または線(wire)）のデータ・フレーム（すなわちデータのグループ）の伝送について特定の機能を分類する特定の階層化技術を規定する。また、これらの標準は、フレーム構造について特定のパラメータを規定する。
【０００４】
無線ネットワークのデータのフレーム化に関連する多くのパラメータは、ネットワークのパフォーマンスに大きな影響を及ぼす。音声アプリケーションの場合、フレームの誤り訂正符号（ＦＥＣ）およびフレーム長は、ＳＮ比（ＳＮＲ）、遅延、およびフレーム誤り率（ＦＥＲ）に関して十分なパフォーマンスを提供し、かつ音声品質が許容可能であるよう選択される。データ・アプリケーションの場合は、ＦＥＲ、ＳＮ比および遅延に関して許容可能なパフォーマンス要件が、音声アプリケーションのものとは異なる。データ・アプリケーションで使用されるＦＥＣは、音声アプリケーションで使用されるものとは異なることがあり、またＦＥＲとＳＮ比との間の関係もまた、異なる。さらに、ＦＥＲ、ＳＮ比および遅延の要件は、回線およびパケットデータのアプリケーションの間でも異なる。さらにまた、無線環境（たとえば、マルチパスのフェージング）も、ＦＥＲのパフォーマンスにも影響を及ぼし、ＳＮ比およびフレーム長とのＦＥＲの関係にも影響を及ぼす。したがって、これらの技術について、無線環境、アプリケーションおよび配置状況に従って効率のよい動作を達成するため、データフレームをパラメータ化するのが望ましい。
【０００５】
ＣＤＭＡ２０００技術を使用する無線ネットワークの例を考えてみる。ＣＤＭＡ２０００は、暫定標準ＩＳ−９５ＣＤに基づく第３世代の無線技術、すなわち第３世代無線セルラー／ＰＣＳ技術を指す。ＣＤＭＡ２０００は、欧州で提案されたスペクトル拡散ＣＤＭＡに基づく第３世代無線セルラー／ＰＣＳ技術を指す広帯域ＣＤＭＡ、すなわち「Ｗ−ＣＤＭＡ」に類似する。簡略にして理解しやすいようにするため、ここではＣＤＭＡ２０００についてのみ検討する。Ｗ−ＣＤＭＡを含む異なるネットワーク技術は、同様に動作するということが理解されるであろう。
【０００６】
ＣＤＭＡ２０００で使用されることのできる２つの種類の符号化は、ターボ（Ｔｕｒｂｏ）符号および畳み込み符号である。ターボ符号の場合、ビット誤り率（ＢＥＲ）またはＦＥＲが固定だとすると、フレーム長が長くなるにつれＳＮ比が減少する、という傾向がある。畳み込み符号の場合、ＳＮ比が一定だとすると、ＢＥＲは、フレーム長に対して比較的一定のままである。また、ＦＥＲは、フレーム長が長くなるにつれて劣化する。これらの２つの種類の符号化は、パフォーマンスを最適化するため、異なるフレーム構成を必要とする。
【０００７】
フレーム構成を選択する際の他の要因は、移動ユニットの複雑さである。フレーム構成について特定のものを選択するということは、複雑さおよびパフォーマンスという両方の意味合いを持つこととなる。
【０００８】
ＣＤＭＡ２０００の例をさらに先に進めると、典型的なフレームは２０ミリ秒（ｍｓ）である。伝送レートが増加するにつれ、２０ｍｓのフレームにおけるビット数は非常に多くなる。しばしば、いくつかの問題が持ち上がる。その１つは、多くの無線通信システムが、データではなく音声について調整されることである。音声の転送では復号遅延があまり望ましくなく、データ転送ではビットのエラーがあまり望ましくない。
【０００９】
これらおよび他の固有の問題を考慮すると、セルラー／ＰＣＳネットワークの効率的な動作を最大にするため、フレーム構成の十分なパラメータ化を提供する電気通信システムを提供することが必要とされている。
【００１０】
また、効率的な方法で、復号遅延対フレーム・エラーのバランスをとるため、柔軟性のある電気通信システムを提供することが必要とされている。また、許容可能なビット誤り率およびフレーム誤り率を維持することが必要とされており、さらに、異なる伝送レートに対応することのできるシステムを提供することが必要とされている。
【００１１】
発明の概要
上記説明した問題および必要性に応えるため、ＣＤＭＡ２０００またはＷ−ＣＤＭＡのような無線通信ネットワークの柔軟性のあるフレーム構成が提供される。一実施形態によると、ネットワークにおける伝送のための信号は、ネットワーク・ノード間でデータを伝送するため、いくつかのフレームを有する。少なくとも１つのフレームは、物理層フレーム、インターリーバー・ブロック、前方向誤り制御（ＦＥＣ）ブロックおよび自動再送要求（ＡＲＱ）ブロックを持つ階層的なサブフレーム構造を備える。
【００１２】
いくつかの実施形態では、フレーム構造は、スペクトル拡散無線ネットワークにおいて使用される。ＦＥＣブロックは誤り制御情報を有し、それぞれのＦＥＣブロックは、１または複数のＡＲＱブロックに細分される。それぞれのＡＲＱブロックは、情報ビットと、巡回冗長符号（ＣＲＣ）およびゼロビットのようなオーバーヘッド・ビットとを有する。
【００１３】
いくつかの実施形態では、ＡＲＱブロックの数は、比較的高いスループットを生成するため、異なる無線環境に応じて変化する。また、ＡＲＱブロックの数を、音声またはデータ情報によって変更することができる。
【００１４】
いくつかの実施形態では、上記フレーム構造は、畳み込み符号も含めて、異なる種類の符号をサポートする。畳み込み符号の場合、ＡＲＱブロックのオーバーヘッド・ビット（ゼロビット）により、畳み込み符号が効率的に区切られる。
【００１５】
いくつかの実施形態では、上記フレーム構造は、データ転送または音声転送の要件のバランスをとるため、ＦＥＣブロックおよびＡＲＱブロックの数を変更する。また、無線環境および移動局の複雑さに従って効率的な動作を促進させるために、ブロックの数を変更することができる。さらに、異なる伝送レートに対応するために、ブロックの数を変更することができる。
【００１６】
この発明の利点は、これらのネットワークで使用されるデータフレームをパラメータ化して、無線環境および移動局の複雑さに従って効率的な動作を促進させることである。
【００１７】
また、この発明の他の利点は、異なる伝送レートに対応することである。さらに、この発明の他の利点は、ＩＳ−９５標準のようなフレーム符号化をサポートすることである。
【００１８】
好ましい態様の説明
図１は、この発明の一実施形態を実現する通信ネットワーク１０を示す。ネットワーク１０は、第１の移動局１４ａに接続されたコンピュータ１２、および第２のスタンドアローン型の移動局１４ｂを備える。コンピュータ１２はラップトップ・コンピュータであることができ、移動局１４ａ、１４ｂ（これらをまとめて移動局１４と呼ぶ）は無線式の電話であることができる。以下の開示は、異なる機能を実現させるため、多くの異なる実施形態すなわち例示を提供する、ということを理解されたい。ある実施形態にのみ固有である技術および要件を、他の実施形態に取り入れるべきではない。また、ネットワーク、構成要素およびフォーマットの特定の例を以下に説明して、この発明の開示を簡略化する。しかしながら、これらが、この発明を限定するよう意図されたものではなく単なる例示にすぎないということは当然のことである。
【００１９】
移動局１４は、無線接続ネットワーク（ＲＡＮ：Radio Access Network）１８と、エア・インターフェース１６を介して通信する。この実施形態においては、エア・インターフェース１６は、ＣＤＭＡ２０００技術を使用し、移動局１４とＲＡＮ１８の間で、ある無線周波数（エア・インターフェース）チャネルを介してメッセージを伝送する。
【００２０】
この実施形態において、ＲＡＮ１８は、無線基地局２０、基地局制御装置（ＢＳＣ）２２、および移動通信交換局（ＭＳＣ）２４を備える。ＲＡＮ１８が、理解しやすいように簡略化されて示されていること、また他の必要な要素をも含むことができるということを理解されたい。断続的に、移動局１４は、特定の無線基地局からの伝送の信号品質パラメータを計測する。品質パラメータは、受信電界強度（ＲＳＳＩ：received signal strength）、または、総雑音に対する１チップ当たりのエネルギー（ＥＣ／ＩＯ）、ビット誤り率（ＢＥＲ）、フレーム誤り率（ＦＥＲ）またはカラーコードのような他の適切なパラメータであることができる。
【００２１】
ＲＡＮ１８の移動通信交換局２４は、音声ネットワーク２８に接続される。音声ネットワーク２８は、公衆交換電話網（ＰＳＴＮ：Public Switch Telephone Network、図示せず）を備え、該ＰＳＴＮは、ＤＭＳ−１００、ＤＭＳ−２５０またはＤＭＳ−５００のスイッチ（これは、ノーテル・ネットワークス・コーポレーションによって製造されている）のような必要なハードウェアおよびソフトウェアを使用して、電話のような音声端末装置および／またはコンピュータのようなデータ端末装置から発信され、かつ受信された呼（call）を方向づける。
【００２２】
また、ＰＳＴＮは、音声ネットワーク２８を介して、移動局１４からの無線の呼に対応することができる。ＰＳＴＮおよびスイッチを備える音声ネットワーク２８については、これらの要素は当業者には周知であるので、簡単に説明するにとどめる。
【００２３】
また、ＲＡＮ１８は、インターフェース３１を介してデータネットワーク・ノード３０に接続される。さらに、データネットワーク・ノード３０はデータ／ＩＰネットワーク３２に接続され、データ／ＩＰネットワーク３２は、ゲートウェイ・スイッチ、ゲートキーパー（gatekeeper）・スイッチ、ＤＭＳスイッチおよびデータ端末装置（図示せず）を介してデータ・サービスを提供する。ゲートキーパー・スイッチ機能は、ＩＰネットワーク上の音声のインテリジェンスとして機能し、帯域幅の管理、加入者アクセス、課金およびセキュリティサービスなどに関してサービスプロバイダーを制御し、最適化することができる。とりわけ、物理媒体（たとえば、エアまたは線）においてデータのフレーム（すなわちデータのグループ）を伝送するのに固有の機能を分類する特定の階層化技術を規定するため、ネットワーク１０のＲＡＮ１８および他の構成要素が様々な標準によって検討されているということを理解されたい。
【００２４】
データネットワーク・ノード３０に接続されるとき、移動局１４は、あるネットワークから他のネットワークへ接続ポイントを変更するホストとみなすことができる。したがって、データネットワーク・ノード３０は、データ／ＩＰネットワーク３２のホーム・エージェント（home agent）または外部エージェント（foreign agent）として動作することができ、またはこれらに接続されることができる。
【００２５】
ネットワーク１０の特定のノード（移動局１４、データネットワーク・ノード３０、およびＲＡＮ１８を含む）は、ネットワークの動作を制御する処理システムを備える。特に、これらのノードは、中央処理ユニットまたはデジタル信号処理ユニットのようなプロセッサ、揮発性および不揮発性メモリを有するメモリシステム、およびインターフェース・システムを備え、これらすべてによって、固有のプログラミング・タスクが実行される。多くの場合、プログラミング・タスクは、異なる構成要素間に分散され、他の場合には、これらのプログラミング・タスクは、主に１つノードにおいてのみ実行される。したがって、これらのノードは、送信されているデータおよびネットワーク１０全体の必要に応じて、送信機、受信機、符号器、復号器、インターリーバーおよび他の機能デバイスとして動作することができる。
【００２６】
図２を参照すると、参照番号５０は、一般化されたフレーム構造を示し、これは、図１の通信ネットワーク１０内のサブフレームを提供する。上記のように、ネットワーク１０のこの実施形態は、ＣＤＭＡ２０００技術を背景にして説明される。しかし、ここで提供される説明は、多くの従来からのセルラー／ＰＣＳ技術に何らかの修正および拡張をもたらす。とりわけ、フレーム構造５０はパラメータ化され、よってフレーム構造５０を、ＲＡＮ１８およびモバイル１４に従って効率的に動作するよう構成することができる。以下にさらに説明するように、フレーム構造５０は、ある程度の自由度を提供し、そのすべてまたは一部を、異なる実施形態について選択的に採用することができる。
【００２７】
フレーム構造５０は、サブフレーム動作をサポートする要素の階層構造を提供する。この構造は、物理層フレーム５２、インターリーバーブロック５４、ＦＥＣブロック５６、および自動再送要求（ＡＲＱ）ブロック５８を備える。一般に、インターリーバーブロック５４は、複数の物理層フレーム５２を含むことができ、または、物理層フレームは、複数のインターリーバーブロックを含むことができる。従来のシステムでは、いずれの物理層フレームも、一群の情報ビットおよびオーバーヘッド・ビットを有しており、該オーバーヘッド・ビットには、誤り検出のための巡回冗長符号（ＣＲＣ）ビット、テール(tail)・ビット（たとえばゼロビット）等などが含まれる。簡単にするため、および理解しやすいように、以下のの開示においては、物理層フレーム５２およびインターリーバーブロック５４が同じ長さであると仮定する。
【００２８】
この発明において、物理層フレーム５２は、１または複数のＦＥＣブロック５６を有し、それぞれのＦＥＣブロックは、１または複数のＡＲＱブロック５８を有する。それぞれのＡＲＱブロック５８は、同じように構成される。例示のため、ＡＲＱブロック５８ａを拡大して、そのレイアウトを示す。一般に、ＡＲＱブロック５８ａは、情報ビット６０およびオーバーヘッド・ビット６２を有する。
【００２９】
しかしながら、この発明において、情報ビット６０およびオーバーヘッド・ビット６２のセットは、ＡＲＱブロックにおける最小のパラメータである。以下の説明では、フレーム構造５０のパラメータを以下のように定義する。
【００３０】
ＮＩＮＴ＝インターリーバーブロックの長さ
ＮＦ＝１フレーム当たりのＦＥＣブロック５６の数
ＮＡ＝１フレーム当たりのＡＲＱブロック５８の数
ＮＩ＝それぞれのＡＲＱブロックにおける情報ビットの数
ＮＣＲＣ＝それぞれのＡＲＱブロックのＣＲＣビットの数
ＮＺ＝それぞれのＡＲＱブロックのゼロビットの数
ゼロビットの数ＮＺは、ゼロであってもよいことに注意されたい。そのようなケースでは、ＦＥＣ符号の復号を助けるために、一組のゼロビットを物理層フレームに加えることができる。
【００３１】
以下の表１は、１９．２ｋｂｐｓおよび３８．４ｋｂｐｓのフレームレートについての、いくつかのフレーム構成の例を示す。表１の第１の行を参照すると、この例では、１つの物理層フレーム５２について１つのＦＥＣブロック５６および１つのＡＲＱブロック５８がある。この例では、ＡＲＱブロックのゼロビットは、ＦＥＣ符号のゼロビットとして働く。表１の第２および第３の行を参照すると、これらの例において、３８．４ｋｂｐｓフレームレートをサポートする２つのフレーム構成がある。第２の行は第１の行に類似するが、データレートが２倍である。第３の行は、１つの物理層フレーム５２について、２つのＡＲＱブロック５８および１つのＦＥＣブロック５６を持つ。ＦＥＣ符号化は、第２および第３の行について同じビット数でなされているが（この例では７６８ビット）、第３の行の例は、より大きいオーバーヘッドを有する。なぜなら、第２の行の例と比べると、第３の行は、追加のＣＲＣビットおよびゼロビットを含むからである。しかし、第３の行は、ＡＲＱブロック５８の再送をサポートするが、第１および第２の行はサポートしない。
【００３２】
【表１】
0004988089.tif 000002
【００３３】
典型的には、ＡＲＱブロックは、データが送信されると、受信機が誤り訂正をチェックしてデータが正確かどうかを判断しなければならない、ということを要求する。受信機は、データが正しくなければ、再送を求める。いくつかのケースでは、ＡＲＱブロックの長さに依存して、誤り訂正の異なる種類を使用するのが望ましいことがある。また、ＦＥＣ符号（たとえば、ターボまたは畳み込み符号）の種類に従って、ＡＲＱブロックの数を設定するのが望ましいこともある。さらに、他のパラメータのために、ＡＲＱブロック５８の長さを制限するのが望ましいこともある。
【００３４】
畳み込みＦＥＣ符号の場合には、ＡＲＱブロック５８のゼロビットにより、畳み込み符号が効率的に区切られる。すなわち、ゼロビットの数は、畳み込み符号のメモリ要素の数に等しい。ＦＥＣブロック５６の長さが、複数のＡＲＱブロックを含むよう構成される場合でさえ、このことは当てはまる。この点をより良く例示するため、表１の第３の行を検討してみる。符号器は、第１のＡＲＱブロック５８を受け取り、続けて第２のＡＲＱブロックを受け取り、受け取った順番にそれぞれを符号化する。それぞれのＡＲＱブロックは、３６０個の情報ビットに続き、１６個のＣＲＣビットおよび８個のゼロビットから成る。第１のＡＲＱブロックの８個のゼロビットは、次の第２のＡＲＱブロックに対する畳み込み符号化を効率的に中断させる。なぜなら、第２のＡＲＱブロックについてのＦＥＣ符号の出力ビットが、第１のＡＲＱブロックから独立しているからである。こうして、両方のＡＲＱブロックを同時に復号化することに関し、パフォーマンスの損失なく、それぞれのＡＲＱブロックを独立的に復号化することができる（オーバーヘッドを除く）。
【００３５】
ターボ符号器は、並列構成または直列構成のいずれかのインターリーバーによってそれぞれ分離された２つの成分の畳み込み符号から成る。いずれの構成においても、ターボ・インターリーバーは、ＡＲＱブロック５８をスクランブルして、ＦＥＣブロック５６全体を同時に復号化しなければならない。言い換えると、ターボ符号器を使用するとき、ＦＥＣブロックが１つより多くのＡＲＱブロックを含むとしても、ＦＥＣブロック５６は同時に復号化される。結果として、異なるパフォーマンス特性およびサブフレーム構成が生じることとなる。
【００３６】
以下の表２は、ＣＤＭＡ２０００と互換性があり、既存のデータレートをサポートするパラメータの要約である。より高いレートのためにこの表を拡張することは、容易である。一般に、１つのＦＥＣブロックについて複数のＡＲＱブロックがあるので、１≦ＮＦ≦ＮＡである。バックワード互換性をサポートするＮＡについての典型的な選択が、１つのＡＲＱブロックあたりの情報ビットの数（ＮＩ）と共に、それぞれのデータレートについて一覧にされている。
【００３７】
【表２】
0004988089.tif 000003
【００３８】
ターボ符号の場合は、ブロックサイズが大きいほど符号のパフォーマンスが向上するので、大きいＦＥＣブロックをサポートするのが望ましい。しかしながら、１つのＦＥＣブロックあたりのビット数が非常に多くなると、非常に大きいフレームを復号することとなるので、受信機に複雑さをもたらす。この理由から、ターボ符号を使用するアプリケーションにおいては、インターリーバーブロックのサイズおよびＦＥＣブロックのサイズを調節するのが望ましい。
【００３９】
畳み込み符号の場合、ＢＥＲは、ＦＥＣブロックサイズに応じて変化する。中〜大のＦＥＣブロックサイズ（およそ５の拘束長より小さいブロックサイズ）の場合、ＢＥＲは、固定されたＳＮ比について、ＦＥＣブロックサイズに対して比較的一定である。小〜中のブロックサイズの場合、ＢＥＲは、ＦＥＣブロックサイズの関数である。したがって、前者の場合、フレームのスループットＲＴＨＲは、ＡＲＱブロックの長さ（変数Ｌで指定される）および再送確率ＰＲＥＴＸに応じて変化する。再送確率ＰＲＥＴＸは、ＡＲＱブロック長Ｌが大きくなるにつれて単調に増加する。これは、畳み込み符号の場合、ＳＮ比およびＢＥＲが一定のままであっても、より大きいブロックサイズについてＦＥＲが劣化するからである。２０ｍｓのフレーム長に適用される以下の式を検討する。
【００４０】
ＲTHR ＝ Ｌ(１-ＰRETX)／２０
この現象は、エア・インターフェース上のフレームの再送によるオーバーヘッドに大きな影響をもたらす。ＡＲＱブロック長Ｌ（ミリ秒で表される）が小さくなるにつれ、再送によるオーバーヘッドは小さくなる。一方、ＣＲＣおよびゼロビットによるオーバーヘッドは、ＡＲＱブロック長Ｌが小さくなるにつれて増加する。このように、再送確率によるＡＲＱブロック長と、ＣＲＣおよびゼロビットによるオーバーヘッドとの間には、トレードオフの関係がある。
【００４１】
比較的短いＡＲＱブロックの場合、低いＢＥＲ確率では、ＣＲＣビットおよびパディング(padding)・ビットからの追加のオーバーヘッドのせいでスループットＲＴＨＲ（効率性）の劣化がある。しかし、ＢＥＲ確率が増加するにつれて（ＰＲＥＴＸが増加）、スループットＲＴＨＲは、小さいＡＲＱブロック長Ｌで良好になる。これは、ＡＲＱブロックの再送に比較して、ＦＥＣブロック全体の再送のオーバーヘッドが大きいからである。
【００４２】
上記の観察およびフレーム構造が与えられたとすると、ネットワーク１０には、該ネットワークの効率的な使用のための柔軟性がもたらされる。また、ネットワーク１０は、最適な方法で復号遅延対ビットエラーのバランスをとるための柔軟性を持つ。さらに、データフレームはパラメータ化されるので、許容可能なビット誤り率およびフレーム誤り率を維持し、かつ異なる伝送レートに対応しつつ、無線環境および移動局の複雑さに従って効率的な動作を促進することができる。さらにまた、フレーム構造５０は、フレーム符号化について最低限の変更しか必要としないので、実現するのが比較的容易である。
【００４３】
この発明の例示的な実施形態を示して説明してきたが、前述した開示には、他の修正、変更および代替が意図されている。また、異なる検討により、フレームおよびブロックの異なる長さおよび異なる数を要求することもできる。たとえば、電力制御を考慮して、複数の物理層フレームにわたるバースト誤りをインターリーバー技術が散らすことができるようにするため、物理層フレーム５２の長さを固定にすることができる。したがって、異なる物理層のフレーム長について異なるインターリーバー長を要求することもできる。したがって、上記の開示の範囲に適合するように、特許請求の範囲を解釈するべきである。
【図面の簡単な説明】
【図１】簡略化されたＣＤＭＡネットワークの概略的なブロック図。
【図２】図１のＣＤＭＡネットワークで使用されるフレームのサブフレーム構造を示す図。
【図１】
0004988089.tif 000004
【図２】
0004988089.tif 000005